(57)【要約】【課題】ＥＰＳ１のステアリング系で舵輪の近くに強い慣性トルクを及ぼす機構が存在する場合に、最終的なチューニング作業を行うことなく操作感性を改善できるようにする。【解決手段】ＥＰＳ１によれば、アシストモータ２は、トルクセンサ５よりも転舵輪側のステアリング系に慣性トルクの作用点を形成し、マイコン２３は、基本アシスト通電量および慣性補償通電量の２つの和を補正する補正手段３０を有する。そして、補正手段３０は、ステアリング系に作用する慣性トルクの内、舵輪側慣性トルクに応じて補正量を算出するとともに、加算手段２９の算出値に補正量を加算する。これにより、トルクセンサ５の構造上の特徴に起因する基本アシスト通電量と慣性補償通電量との相互干渉を緩和できるので、ステアリング系で舵輪の近くに強い慣性トルクを及ぼす機構等が存在する場合でも、最終的なチューニング作業を行うことなく操作感性を改善できる。【選択図】図３
2010064663.tif 000002
【特許請求の範囲】
【請求項１】
舵輪の操舵をアシストするための出力を発生するアシストモータと、
前記舵輪と転舵輪との間で、前記舵輪に与えられたトルクの伝達経路の一部をなすシャフトと、
このシャフトに組み込まれ、前記舵輪側の前記シャフトと前記転舵輪側の前記シャフトとの相対回転変位量に応じて前記舵輪に与えられたトルクを検出するトルク検出手段と、
このトルク検出手段による検出値に応じて、前記アシストモータの通電量を制御する制御手段とを備え、
前記アシストモータは、前記トルク検出手段よりも前記転舵輪側の前記トルクの伝達経路に慣性トルクの作用点を形成し、
前記制御手段は、
前記トルク検出手段による検出値に基づき、前記舵輪の操舵をアシストするための基本アシスト通電量を算出する基本アシスト量算出手段と、
前記トルクの伝達経路に作用する慣性トルクを補償するための慣性補償通電量を算出する慣性補償量算出手段と、
前記基本アシスト通電量および前記慣性補償通電量の少なくとも２つの和を算出する加算手段と、
この加算手段の算出値を補正する補正手段とを有し、
この補正手段は、前記トルクの伝達経路に作用する慣性トルクの内、前記トルク検出手段よりも前記舵輪側の前記トルクの伝達経路に作用する慣性トルクに応じて、前記基本アシスト通電量および前記慣性補償通電量の和に対する補正量を算出し、
前記制御手段は、少なくとも前記加算手段の算出値に前記補正量を加算して前記アシストモータの通電量に対する指令値とすることを特徴とする電動パワーステアリング装置。
【請求項２】
請求項１に記載の電動パワーステアリング装置において、
前記制御手段は、
前記トルク検出手段による検出値と前記アシストモータの通電量に対する指令値との位相差を補償するための位相補償通電量を算出する位相補償量算出手段を有し、
前記加算手段は、前記基本アシスト通電量、前記慣性補償通電量および前記位相補償通電量の少なくとも３つの和を算出し、
前記補正手段は、
前記位相補償通電量に対する補正量を算出し、前記基本アシスト通電量および前記慣性補償通電量の和に対する補正量に加算して、前記加算手段の算出値に対する補正量とし、
前記位相補償通電量に対する補正量を、前記基本アシスト通電量の算出条件に応じて算出することを特徴とする電動パワーステアリング装置。
【請求項３】
請求項１または請求項２に記載の電動パワーステアリング装置において、
前記舵輪の操舵角と前記転舵輪の舵角との比率を可変するための出力を発生する舵角比可変モータを備え、
この舵角比可変モータは、前記トルク検出手段よりも前記舵輪側の前記トルクの伝達経路に慣性トルクの作用点を形成し、
前記補正手段は、前記舵角比可変モータの慣性トルクに応じて、前記基本アシスト通電量および前記慣性補償通電量の和に対する補正量を算出することを特徴とする電動パワーステアリング装置。
【発明の詳細な説明】
【技術分野】
【０００１】
本発明は、モータの出力により舵輪の操舵をアシストする電動パワーステアリング装置に関するものである（以下、電動パワーステアリング装置をＥＰＳと呼び、操舵をアシストするための出力を発生するモータをアシストモータと呼ぶ）。
【背景技術】
【０００２】
従来から、ＥＰＳにおけるアシストモータの動作は、主として、乗員により舵輪に与えられるトルクに応じて制御されている。すなわち、舵輪に与えられるトルクは、例えば、ステアリングシャフトに組み込まれたトルクセンサにより検出されて電子制御装置（ＥＣＵ）に出力される。そして、ＥＣＵは、トルクセンサによる検出値に応じて、アシストモータの通電量に対する指令値を算出している。
【０００３】
ところで、乗員が舵輪を操舵しようとするとき、舵輪から転舵輪に至るトルクの伝達経路（以下、ステアリング系と呼ぶ）には慣性トルクが作用するため、乗員は、慣性トルクを感じながら舵輪を操舵する。このため、ステアリング系の慣性トルクが強いほど、乗員の操作感性が悪化してしまう。
【０００４】
そこで、ＥＰＳのＥＣＵでは、トルクセンサによる検出値に応じて算出する通電量（以下、基本アシスト通電量と呼ぶ）とは別に、ステアリング系の慣性トルクを補償するための慣性補償通電量を算出する技術が知られている（例えば、特許文献１参照）。そして、特許文献１の技術によれば、ＥＣＵは、基本アシスト通電量に慣性補償通電量を加算して通電量の指令値を求め、この指令値に基づいてアシストモータの通電量を制御する。
【０００５】
ところで、ＥＰＳには、舵輪の操舵角を検出するセンサや、アシストモータのロータ回転角を検出するセンサを具備するものが多いので、ＥＣＵは、このような角度の検出値を用いて力学的に慣性トルクを算出することができる。そして、ＥＣＵは、角度の検出値を用いて算出した慣性トルクを用いて、慣性補償通電量を算出することができる。
【０００６】
しかし、力学的に算出した慣性トルクに基づき慣性補償通電量を算出してアシストモータの通電量制御に利用しても、操作感性は必ずしも良好なものとはならず、最終的には、基本アシスト通電量や慣性補償通電量を算出するための各種パラメータをチューニングすることで操作感性を高めている。そして、このような操作感性の低下傾向は、例えば、コラムに舵角比可変機構を有するＥＰＳのように、ステアリング系に強力な慣性トルクを及ぼす機構等が舵輪の近くに装備されている場合に著しい。
【０００７】
なお、舵角比可変機構とは、舵輪の操舵角と転舵輪の舵角との比率（以下、舵角比と呼ぶ）をモータの出力により自在に可変するものであり（例えば、特許文献２、３参照）、例えば、車庫入れ等の低速運転時には、操舵角の変化量に対する舵角の変化量を大きくして転舵輪の回転を機敏に行えるようにしたり、高速運転時には、操舵角の変化量に対する舵角の変化量を小さくして舵輪の操舵に対する車両の安定性を高めたりするものである（以下、舵角比可変機構をＶＧＴＳと呼び、舵角比を可変するための出力を発生するモータを舵角比可変モータと呼ぶ）。
【特許文献１】特開２００５−２２５４２０号公報
【特許文献２】特開２００４−３１４７６７号公報
【特許文献３】特開２００５−２４７２１４号公報
【発明の開示】
【発明が解決しようとする課題】
【０００８】
本発明は、上記の問題点を解決するためになされたものであり、その目的は、ＥＰＳのステアリング系で舵輪の近くに強い慣性トルクを及ぼす機構等が存在する場合でも、最終的なチューニング作業を行うことなく操作感性を改善できるようにすることにある。
【課題を解決するための手段】
【０００９】
〔請求項１の手段〕
請求項１に記載のＥＰＳは、舵輪の操舵をアシストするための出力を発生するアシストモータと、舵輪と転舵輪との間で、舵輪に与えられたトルクの伝達経路（ステアリング系）の一部をなすシャフトと、シャフトに組み込まれ、舵輪側のシャフトと転舵輪側のシャフトとの相対回転変位量に応じて舵輪に与えられたトルクを検出するトルク検出手段と、トルク検出手段による検出値に応じて、アシストモータの通電量を制御する制御手段とを備え、アシストモータは、トルク検出手段よりも転舵輪側のステアリング系に慣性トルクの作用点を形成する。
【００１０】
また、制御手段は、トルク検出手段による検出値（以下、トルク検出値と呼ぶ）に基づき、舵輪の操舵をアシストするための基本アシスト通電量を算出する基本アシスト量算出手段と、ステアリング系に作用する慣性トルクを補償するための慣性補償通電量を算出する慣性補償量算出手段と、基本アシスト通電量および慣性補償通電量の少なくとも２つの和を算出する加算手段と、加算手段の算出値を補正する補正手段とを有する。
【００１１】
そして、補正手段は、ステアリング系に作用する慣性トルクの内、トルク検出手段よりも舵輪側のステアリング系に作用する慣性トルク（以下、舵輪側慣性トルクと呼ぶ）に応じて、基本アシスト通電量および慣性補償通電量の和に対する補正量を算出し、制御手段は、少なくとも加算手段の算出値に補正量を加算してアシストモータの通電量に対する指令値とする（なお、以下の説明では、転舵輪側のステアリング系に作用する慣性トルクを、転舵輪側慣性トルクと呼ぶ）。
【００１２】
トルク検出手段は、舵輪側のシャフトと転舵輪側のシャフトとの相対回転変位量に応じてトルクを検出するという構造上の特徴を有する。そして、このトルク検出手段の構造上の特徴に起因して、舵輪側、転舵輪側慣性トルクは、それぞれ、トルク検出値に対して特異な影響を与えているものと考えられる。
【００１３】
そして、舵輪側、転舵輪側慣性トルクがトルク検出値に対し、どのように特異な影響を与えているのか定かではないものの、この特異な影響に起因して、基本アシスト通電量と慣性補償通電量との間に相互干渉が発生し、操作感性低下の要因となっているものと考えられる。
【００１４】
そこで、ステアリング系で舵輪の近くに強い慣性トルクを及ぼす機構等が存在する場合に顕著に操作感性が低下することに鑑み、主に、舵輪側慣性トルクがトルク検出値に与える影響に着目する。そして、基本アシスト通電量および慣性補償通電量の少なくとも２つの和の算出値を舵輪側慣性トルクに応じて補正する。
【００１５】
これにより、基本アシスト通電量と慣性補償通電量との相互干渉を緩和できるので、ＥＰＳのステアリング系で舵輪の近くに強い慣性トルクを及ぼす機構等が存在する場合でも、最終的なチューニング作業を行うことなく操作感性を改善できる。
【００１６】
〔請求項２の手段〕
請求項２に記載のＥＰＳによれば、制御手段は、トルク検出手段による検出値とアシストモータの通電量に対する指令値との位相差を補償するための位相補償通電量を算出する位相補償量算出手段を有し、加算手段は、基本アシスト通電量、慣性補償通電量および位相補償通電量の少なくとも３つの和を算出する。そして、補正手段は、位相補償通電量に対する補正量を算出し、基本アシスト通電量および慣性補償通電量の和に対する補正量に加算して、加算手段の算出値に対する補正量とし、位相補償通電量に対する補正量を、基本アシスト通電量の算出条件に応じて算出する。
【００１７】
上記の相互干渉を緩和するための検討において、トルク検出手段による検出値とアシストモータの通電量に対する指令値との位相差を補償する機能、つまり、ＥＰＳの制御系における入出力間の位相差を補償する機能（位相補償量算出手段）を制御手段に追加した場合、位相補償通電量は、基本アシスト通電量の算出条件に大きく影響を受けることが判明した。
【００１８】
そこで、位相補償通電量を基本アシスト通電量の算出条件に応じて補正する機能を補正手段に追加する。これにより、ＥＰＳの制御系における入出力間の位相差補償に対する信頼性を高めることができる。
【００１９】
〔請求項３の手段〕
請求項３に記載のＥＰＳは、舵輪の操舵角と転舵輪の舵角との比率を可変するための出力を発生する舵角比可変モータを備え、舵角比可変モータは、トルク検出手段よりも舵輪側のステアリング系に慣性トルクの作用点を形成する。そして、補正手段は、舵角比可変モータの慣性トルクに応じて、基本アシスト通電量および慣性補償通電量の和に対する補正量を算出する。
この手段は、舵輪の近くでステアリング系に強い慣性トルクを及ぼす機構がＶＧＴＳであることを示すものである。
【発明を実施するための最良の形態】
【００２０】
最良の形態のＥＰＳは、舵輪の操舵をアシストするための出力を発生するアシストモータと、舵輪と転舵輪との間で、舵輪に与えられたトルクの伝達経路（ステアリング系）の一部をなすシャフトと、シャフトに組み込まれ、舵輪側のシャフトと転舵輪側のシャフトとの相対回転変位量に応じて舵輪に与えられたトルクを検出するトルク検出手段と、トルク検出手段による検出値（トルク検出値）に応じて、アシストモータの通電量を制御する制御手段とを備え、アシストモータは、トルク検出手段よりも転舵輪側のステアリング系に慣性トルクの作用点を形成する。
【００２１】
また、制御手段は、トルク検出値に基づき、舵輪の操舵をアシストするための基本アシスト通電量を算出する基本アシスト量算出手段と、ステアリング系に作用する慣性トルクを補償するための慣性補償通電量を算出する慣性補償量算出手段と、基本アシスト通電量および慣性補償通電量の少なくとも２つの和を算出する加算手段と、加算手段の算出値を補正する補正手段とを有する。
【００２２】
そして、補正手段は、ステアリング系に作用する慣性トルクの内、トルク検出手段よりも舵輪側のステアリング系に作用する慣性トルク（舵輪側慣性トルク）に応じて、基本アシスト通電量および慣性補償通電量の和に対する補正量を算出し、制御手段は、少なくとも加算手段の算出値に補正量を加算してアシストモータの通電量に対する指令値とする。
【００２３】
また、制御手段は、トルク検出手段による検出値とアシストモータの通電量に対する指令値との位相差を補償するための位相補償通電量を算出する位相補償量算出手段を有し、加算手段は、基本アシスト通電量、慣性補償通電量および位相補償通電量の少なくとも３つの和を算出する。そして、補正手段は、位相補償通電量に対する補正量を算出し、基本アシスト通電量および慣性補償通電量の和に対する補正量に加算して、加算手段の算出値に対する補正量とし、位相補償通電量に対する補正量を、基本アシスト通電量の算出条件に応じて算出する。
【００２４】
さらに、最良の形態のＥＰＳは、舵輪の操舵角と転舵輪の舵角との比率（舵角比）を可変するための出力を発生する舵角比可変モータを備え、舵角比可変モータは、トルク検出手段よりも舵輪側のステアリング系に慣性トルクの作用点を形成する。そして、補正手段は、舵角比可変モータの慣性トルクに応じて、基本アシスト通電量および慣性補償通電量の和に対する補正量を算出する。
【実施例】
【００２５】
〔実施例の構成〕
実施例の電動パワーステアリング装置（ＥＰＳ）１を図面に基づいて説明する。
ＥＰＳ１は、図１に示すように、アシストモータ２の出力により舵輪３の操舵をアシストするものであり、主として、乗員により舵輪３に与えられるトルクに基づき駆動制御されている。また、このトルクは、例えば、ステアリングシャフト（以下、シャフトと呼ぶ）４に組み込まれたトルクセンサ５により検出されて電子制御装置（ＥＣＵ）６に出力され、ＥＣＵ６は、トルクセンサ５による検出値（トルク検出値）等に応じて、アシストモータ２の通電量に対する指令値を算出している。
【００２６】
すなわち、ＥＰＳ１は、舵輪３の操舵をアシストするための出力を発生するアシストモータ２と、舵輪３と転舵輪７との間で、舵輪３に与えられたトルクの伝達経路（ステアリング系）の一部をなすシャフト４と、シャフト４に組み込まれ、舵輪３に与えられたトルクを検出するトルクセンサ５と、トルク検出値等に応じてアシストモータ２の通電量を制御するＥＣＵ６とを備える。
【００２７】
そして、舵輪３に与えられたトルクが、シャフト４およびラックアンドピニオン機構８等を介して転舵輪７に伝達され、転舵輪７が転舵される。また、アシストモータ２の出力が、トルクセンサ５よりも転舵輪７側のシャフト４に伝達され、さらにラックアンドピニオン機構８に伝達されて、転舵輪７の転舵、つまり舵輪３による操舵がアシストされる。
【００２８】
トルクセンサ５は、図２に示すように、舵輪３の操舵に応じて変化する磁束を発生する磁束発生手段１２と、磁束発生手段１２で発生した磁束、および所定の電源（図示せず）から与えられる印加電圧に応じて、電気的出力を発生する出力発生手段１３とを有する。
【００２９】
磁束発生手段１２は、例えば、舵輪３側のシャフト４と一体的に回転する磁石１４、転舵輪７側のシャフト４と一体的に回転するとともに、磁石１４から生じる磁束を集める櫛歯状のヨーク１５、軸方向両端がピン１６により舵輪３側、転舵輪７側のシャフト４に係止され、舵輪３の操舵に応じて捩れるトーションバー１７等により構成されている。
【００３０】
出力発生手段１３は、ヨーク１５により集められた磁束に感磁するホール素子、ホール素子が感磁した磁束の磁束密度、および印加電圧に応じた電気的出力を発生する出力回路等により構成されるホールＩＣである。
【００３１】
このような構成により、トルクセンサ５では、舵輪３の操舵によりトーションバー１７が捩れると、磁石１４とヨーク１５とが互いに相対変位するので、ホール素子が感磁する磁束の磁束密度が変化して、出力回路から発生する電気的出力が変化する。このため、トルクセンサ５は、舵輪３に与えられたトルクに応じた電気的出力を発生することができるので、結果的に、舵輪３側のシャフト４と転舵輪７側のシャフト４との相対回転変位量に応じて、舵輪３に与えられたトルクを検出することができる。
【００３２】
また、ＥＰＳ１は、図１に示すように、舵輪３の操舵角と転舵輪７の舵角との比率（舵角比）を舵角比可変モータ２０の出力により自在に可変する周知の舵角比可変機構（ＶＧＴＳ）２１をコラムに備える。そして、ＶＧＴＳ２１は、例えば、車庫入れ等の低速運転時には、操舵角の変化量に対する舵角の変化量を大きくして転舵輪７の回転を機敏に行えるようにしたり、高速運転時には、操舵角の変化量に対する舵角の変化量を小さくして舵輪３の操舵に対する車両の安定性を高めたりする。
【００３３】
ＥＣＵ６は、図１および図３に示すように、各種センサから電気的出力の入力を受けてアシストモータ２の通電量制御等の演算処理等を行うマイコン２３、アシストモータ２の駆動回路２４等により構成されている。また、マイコン２３は、制御処理および演算処理を行うＣＰＵ、各種のデータおよびプログラム等を記憶するＲＯＭおよびＲＡＭ等の記憶装置、入力装置、ならびに出力装置等を含んで構成される周知構造を有する。
【００３４】
そして、マイコン２３は、各種センサから得られる電気的出力に基づいて、アシストモータ２の通電量制御に必要な各種の検出値を得るとともに，アシストモータ２の通電量に対する指令値を算出する。さらに、マイコン２３は、算出した指令値に基づき、駆動回路２４に与える制御信号を合成して出力する。この結果、アシストモータ２では指令値に応じた通電が行われ、トルク検出値に応じたアシストが行われる。
【００３５】
次に、マイコン２３によるアシストモータ２の通電量制御を、図３に示すブロック線図を用いて詳細に説明する。なお、このアシストモータ２の通電量制御は、乗員による操舵のアシスト、および乗員の操作感性の向上を両立させることを目的として行われるものである。また、乗員の操作感性は、周知のリサージュ波形を利用して定量的に観察することができる。
【００３６】
まず、マイコン２３は、トルク検出値に基づき、舵輪３の操舵をアシストするための基本アシスト通電量を算出する基本アシスト量算出手段２６と、ステアリング系に作用する慣性トルクを補償するための慣性補償通電量を算出する慣性補償量算出手段２７と、トルク検出値とアシストモータ２の通電量に対する指令値との位相差を補償するための位相補償通電量を算出する位相補償量算出手段２８と、基本アシスト通電量、慣性補償通電量および位相補償通電量の少なくとも３つの和を算出する加算手段２９と、加算手段２９の算出値を補正する補正手段３０とを有する。
【００３７】
基本アシスト量算出手段２６は、乗員による舵輪３の操舵をアシストするための基本的な通電量として基本アシスト通電量を算出するものである。すなわち、乗員は、路面から受ける反力やステアリング系各部におけるクーロン摩擦力等に抗して、舵輪３を操舵し転舵輪７を転舵させる必要がある。そして、基本アシスト量算出手段２６は、このような操舵に必要なトルクを軽減するためにアシストモータ２からステアリング系に付与すべきトルクに基づいて、基本アシスト通電量を算出する。
【００３８】
すなわち、基本アシスト量算出手段２６は、乗員が舵輪３を通じてステアリング系に与えたトルクを反映するトルク検出値に基づいて、操舵に必要なトルクを軽減するための基本アシスト通電量を算出する。そして、基本アシスト量算出手段２６は、トルク検出値を所定の算出条件に当てはめることで、基本アシスト通電量を算出する。
【００３９】
ここで、基本アシスト量算出手段２６は、基本アシスト通電量の算出条件を、トルク検出値や、車速を検出する車速センサ３３から得られる車速の検出値に応じて可変する。例えば、基本アシスト量算出手段２６は、トルク検出値にパワーアシストゲインと称する係数を乗じることで、基本アシスト通電量を算出する。そして、基本アシスト量算出手段２６は、パワーアシストゲインをトルク検出値や車速の検出値に応じて可変する。
【００４０】
慣性補償量算出手段２７は、ステアリング系に作用する慣性トルクを補償して操作感性を向上するための通電量として、慣性補償通電量を算出するものである。慣性補償量算出手段２７は、ステアリング系に作用する慣性トルクを力学的に算出するとともに電流値に変換することで、慣性補償通電量を算出する。
【００４１】
ここで、ステアリング系に作用する慣性トルクには、シャフト４を含むステアリング系自身の慣性トルク、舵角比可変モータ２０の慣性トルク、およびアシストモータ２の慣性トルク等が含まれる。そして、これらの慣性トルクは、ステアリング系、舵角比可変モータ２０またはアシストモータ２の回転角に関する情報、ステアリング系、舵角比可変モータ２０およびアシストモータ２の慣性モーメント、舵角比可変モータ２０およびアシストモータ２のギヤ比、ならびにＶＧＴＳ２１による舵角比等を用いて力学的に算出される。
【００４２】
なお、回転角に関する情報には、例えば、舵輪３の操舵角を検出する操舵角センサ３４から得られる検出値が用いられる。操舵角センサ３４は、トルクセンサ５よりも舵輪３側のシャフト４に装備され、舵輪３側のシャフト４の回転角を検出することで舵輪３の操舵角を検出するものである。そして、操舵角センサ３４から得られる検出値が、ステアリング系、舵角比可変モータ２０およびアシストモータ２の慣性トルク算出に共通して用いられる。
【００４３】
また、アシストモータ２の慣性トルクは、トルクセンサ５よりも転舵輪７側のステアリング系に作用しており、舵角比可変モータ２０の慣性トルクは、トルクセンサ５よりも舵輪３側のステアリング系に作用している。
【００４４】
位相補償量算出手段２８は、トルク検出値とアシストモータ２の通電量に対する指令値との位相差を補償して操作感性を向上するための通電量として、位相補償通電量を算出するものである。すなわち、位相補償量算出手段２８は、ＥＰＳ１の制御系における入力としての「アシストモータ２の通電量に対する指令値」と、出力としての「トルク検出値」との間の伝達特性の位相差、つまり、ＥＰＳ１の制御系における入出力間の位相差を補償するものである。
【００４５】
そして、位相補償量算出手段２８は、トルク検出値のラプラス変換に周知の位相進み補償要素を乗じてトルク検出値の位相を進ませたものを電流値に変換することで、位相補償通電量を算出する。
なお、位相補償量算出手段２８は、ＥＰＳ１の安定化を図るための一つの機能である。
【００４６】
補正手段３０は、操作感性を向上するために、基本アシスト通電量および慣性補償通電量の和に対する補正量（以下、第１補正量と呼ぶ）、ならびに位相補償通電量に対する補正量（以下、第２補正量と呼ぶ）を算出し、第１、第２補正量の和を、基本アシスト通電量、慣性補償通電量および位相補償通電量の３つの和に対する補正量とする。
【００４７】
まず、第１補正量は、基本アシスト通電量と慣性補償通電量との間に相互干渉が発生しているものと考えて、この相互干渉の影響を除くことにより操作感性を向上させるために算出される。
【００４８】
そこで、相互干渉の影響を考察するにあたり、舵輪３側のシャフト４と転舵輪７側のシャフト４との相対回転変位量に応じてトルクを検出する、というトルクセンサ５の構造上の特徴に着目する。そして、このような構造上の特徴に起因して、トルクセンサ５の舵輪３側のステアリング系に作用する慣性トルク（舵輪側慣性トルク）、および、転舵輪７側のステアリング系に作用する慣性トルク（転舵輪側慣性トルク）は、それぞれ、トルク検出値に対して特異な影響を与えているものと考える。
【００４９】
そして、舵輪側、転舵輪側慣性トルクがトルク検出値に対し、どのように特異な影響を与えているのか定かではないものの、この特異な影響に起因して、基本アシスト通電量と慣性補償通電量との間に相互干渉が発生し、この相互干渉によって、操作感性が低下しているものと考える。
【００５０】
また、ステアリング系で舵輪３の近くに強い慣性トルクを及ぼす機構等が存在する場合に顕著に操作感性が低下することに鑑み、主に、舵輪側慣性トルクがトルク検出値に与える影響に着目する。そして、舵輪側慣性トルクに応じて、基本アシスト通電量および慣性補償通電量の和を補正できるように、補正手段３０を構成する。つまり、舵輪側慣性トルクに応じて第１補正量を算出するように補正手段３０を構成する。
【００５１】
なお、第１補正量の値は、ステアリング系における慣性トルクを含むトルクバランスに基づいて数式を立て、力学的に算出するようにしてもよく、マップデータとして記憶しておいてもよい。
【００５２】
そして、ＥＰＳ１では、舵角比可変モータ２０がトルクセンサ５よりも舵輪３側のステアリング系に慣性トルクの作用点を形成しており、舵角比可変モータ２０の慣性トルクが舵輪側慣性トルクの大部分を占めているものと考えられる。このため、補正手段３０は、舵角比可変モータ２０の慣性トルクに応じて第１補正量を算出するように構成されている。また、舵角比可変モータ２０の慣性トルクは、慣性補償量算出手段２７と同様に、回転角に関する情報を利用して力学的に算出することができる。
【００５３】
次に、第２補正量は、位相補償通電量が基本アシスト通電量の算出条件（例えば、パワーアシストゲインの値）に大きく影響を受けることに鑑み、位相補償通電量を基本アシスト通電量の算出条件に応じて補正するために算出される。
なお、第２補正量の値は、ステアリング系における慣性トルクを含むトルクバランスに基づいて数式を立て、力学的に算出するようにしてもよく、マップデータとして記憶しておいてもよい。
【００５４】
〔実施例の効果〕
実施例のＥＰＳ１によれば、アシストモータ２は、トルクセンサ５よりも転舵輪７側のステアリング系に慣性トルクの作用点を形成し、舵角比可変モータ２０は、トルクセンサ５よりも舵輪３側のステアリング系に慣性トルクの作用点を形成する。また、ＥＣＵ６のマイコン２３は、トルク検出値に基づき、舵輪３の操舵をアシストするための基本アシスト通電量を算出する基本アシスト量算出手段２６と、ステアリング系に作用する慣性トルクを補償するための慣性補償通電量を算出する慣性補償量算出手段２７と、基本アシスト通電量および慣性補償通電量の２つの和を補正するための第１補正量を算出する補正手段３０とを有する。
【００５５】
そして、補正手段３０は、ステアリング系に作用する慣性トルクの内、舵輪側慣性トルクの大部分を占める舵角比可変モータ２０の慣性トルクに応じて第１補正量を算出し、マイコン２３は、加算手段２９の算出値に第１補正量を加算する。
これにより、トルクセンサ５の構造上の特徴に起因する基本アシスト通電量と慣性補償通電量との相互干渉を緩和できるので、ＥＰＳ１のステアリング系で舵輪３の近くに強い慣性トルクを及ぼすＶＧＴＳ２１が存在する場合でも、最終的なチューニング作業を行うことなく操作感性を改善できる。
【００５６】
また、マイコン２３は、トルク検出値とアシストモータ２の通電量に対する指令値との位相差を補償するための位相補償通電量を算出する位相補償量算出手段２８を有し、補正手段３０は、位相補償通電量を補正するための第２補正量を算出する。そして、補正手段３０は、基本アシスト通電量の算出条件に応じて第２補正量を算出し、マイコン２３は、加算手段２９の算出値に第１補正量と併せて第２補正量を加算する。
【００５７】
位相補償通電量は、基本アシスト通電量の算出条件に大きく影響を受ける。そこで、補正手段３０は、位相補償通電量を基本アシスト通電量の算出条件に応じて補正するための第２補正量を算出し、マイコン２３は、加算手段２９の算出値に第１補正量と併せて第２補正量を加算する。これにより、ＥＰＳ１の制御系における入出力間の位相差補償に対する信頼性を高めることができる。
【００５８】
〔変形例〕
実施例のＥＰＳ１によれば、回転角に関する情報として、操舵角センサ３４から得られる検出値が用いられ、操舵角センサ３４から得られる検出値に応じて慣性トルクが算出されていたが、このような態様に限定されない。例えば、ＥＰＳ１に、アシストモータ２の回転角や舵角比可変モータ２０の回転角を検出するセンサを装備して、アシストモータ２の回転角や舵角比可変モータ２０の回転角に応じて慣性トルクを算出してもよい。また、トルクセンサ５よりも転舵輪７側のシャフト４に回転角を検出するセンサを装備し、転舵輪７側のシャフト４の回転角の検出値を、慣性トルクの算出に用いてもよい。
【００５９】
また、実施例のＥＰＳ１によれば、マイコン２３は、位相補償量算出手段２８の機能を有し、補正手段３０は、位相補償通電量を補正していたが、操作感性の状態に応じて、位相補償通電量の補正機能や位相補償量算出手段２８の機能をマイコン２３から除いてもよい。
【００６０】
また、実施例のＥＰＳ１によれば、マイコン２３は、ＥＰＳ１の安定化を図るための一つの機能として位相補償量算出手段２８を有していたが、ＥＰＳ１の安定化を図るための機能は、位相補償量算出手段２８に限定されない。例えば、ＥＰＳ１の安定化を図るための機能として、ＥＰＳ１の共振による振動を除くための通電量を算出する手段を、マイコン２３に追加してもよい。
【００６１】
また、実施例のＥＰＳ１によれば、舵輪側慣性トルクは、舵角比可変モータ２０の慣性トルクとして算出されたが、舵角比可変モータ２０以外に、トルクセンサ５の舵輪３側のステアリング系に強力な慣性トルクを及ぼす機器等が存在すれば、このような機器等の慣性トルクを舵輪側慣性トルクに含めてもよい。また、舵角比可変モータ２０の慣性トルクが、トルクセンサ５の舵輪３側のステアリング系に慣性トルクを及ぼさない場合でも、補正手段３０の機能により、操作感性を高めることができる。
【００６２】
さらに、実施例のＥＰＳ１によれば、アシストモータ２は、トルクセンサ５よりも転舵輪７側のシャフト４に出力を伝達するものであったが、トルクセンサ５よりも転舵輪７側のステアリング系に慣性トルクの作用点を形成するのであれば、アシストモータ２の配置は特に限定されない。例えば、ラックアンドピニオン機構８のラックまたはピニオンに出力を伝達するように、アシストモータ２を配してもよく、ラックのボールスクリュー部に出力を伝達するように、アシストモータ２を配してもよい。
【図面の簡単な説明】
【００６３】
【図１】電動パワーステアリング装置の構成図である。
【図２】トルクセンサの構成図である。
【図３】電動パワーステアリング装置のブロック線図である。
【符号の説明】
【００６４】
１  ＥＰＳ（電動パワーステアリング装置）
２  アシストモータ
３  舵輪
４  シャフト
５  トルクセンサ（トルク検出手段）
７  転舵輪
２０  舵角比可変モータ
２３  マイコン（制御手段）
２６  基本アシスト量算出手段
２７  慣性補償量算出手段
２８  位相補償量算出手段
２９  加算手段
３０  補正手段
【図１】
2010064663.tif 000003
【図２】
2010064663.tif 000004
【図３】
2010064663.tif 000005